(57)【特許請求の範囲】
【請求項１】
調理容器の底面に当接する上端の集熱板と、集熱板の下面に取付けられる感熱素子と、感熱素子から下方にのびるリード線を囲うようにして集熱板に固定される筒状のホルダとから成る感熱ヘッドと、リード線が挿通される支持パイプと、支持パイプに対し感熱ヘッドを上方に付勢するホルダ内のスプリングとを備え、感熱ヘッドをスプリングの付勢力に抗して下動自在に、且つ、回り止めした状態で支持パイプに支持する鍋底温度センサにおいて、
ホルダの下部内方に、ホルダに固定で支持パイプに外挿される内筒が設けられ、
内筒と支持パイプとの一方と他方に径方向の凹部と凸部とが形成され、凹部に凸部が係合して感熱ヘッドが回り止めされ、
内筒は、径方向外方に屈曲する上端のフランジ部と、フランジ部の外周縁から垂下する外筒部とを有し、外筒部をホルダの下端からホルダの内周面に沿って上方に折り返すことにより、内筒がホルダと一体に形成されることを特徴とする鍋底温度センサ。
【請求項２】
前記内筒の下端は、前記ホルダの下端以上の高さに位置することを特徴とする請求項１記載の鍋底温度センサ。
【請求項３】
前記感熱ヘッドが前記スプリングの付勢力で所定の上動位置に上動したときに、前記支持パイプの上端部に設けられたストッパ部の下面に前記内筒の上端の前記フランジ部が当接して、感熱ヘッドが抜け止めされることを特徴とする請求項１又は２記載の鍋底温度センサ。
【発明の詳細な説明】
【技術分野】
【０００１】
本発明は、コンロバーナで加熱される鍋等の調理容器の底面に当接して調理容器の温度を検出する鍋底温度センサに関する。
【背景技術】
【０００２】
従来、この種の鍋底温度センサは、調理容器の底面に当接する上端の集熱板と、集熱板の下面に取付けられる感熱素子と、感熱素子から下方にのびるリード線を囲うようにして集熱板に固定される筒状のホルダとから成る感熱ヘッドと、リード線が挿通される支持パイプと、支持パイプに対し感熱ヘッドを上方に付勢するホルダ内のスプリングとを備え、感熱ヘッドをスプリングの付勢力に抗して下動自在に、且つ、回り止めした状態で支持パイプに支持している（例えば、特許文献１参照）。尚、感熱ヘッドを回り止めするのは、感熱ヘッドの回転でリード線が捩られるのを防止するためである。
【０００３】
ここで、上記従来例では、支持パイプの上端に支持パイプより大径のストッパを固定すると共に、ホルダ下部に縮径段部を形成し、感熱ヘッドがスプリングの付勢力で所定の上動位置に上動したとき、縮径段部がストッパの下面に当接して、感熱ヘッドが抜け止めされるようにしている。そして、ストッパの外周面に溝を形成すると共に、縮径段部よりも上方のホルダの部分に、径方向内方に窪む上下方向に長手の窪み部を形成し、窪み部を溝に係合させることで感熱ヘッドを回り止めしている。
【０００４】
然し、縮径段部よりも上方のホルダの部分は、コンロバーナの上方に突出する外観的に目立つ箇所であって、この部分に感熱ヘッドを回り止めする部分である窪み部を形成すると、体裁を損なう。特に、窪み部は掃除が面倒であるため、窪み部に煮こぼれが付着堆積して汚れが目立ちやすくなり、体裁を損なう。
【先行技術文献】
【特許文献】
【０００５】
【特許文献１】特開平１１−８３０２０号公報（図２）
【発明の概要】
【発明が解決しようとする課題】
【０００６】
本発明は、以上の点に鑑み、感熱ヘッドを回り止めする部分が外観に現れない体裁の良好な鍋底温度センサを提供することをその課題としている。
【課題を解決するための手段】
【０００７】
上記課題を解決するために、本発明は、調理容器の底面に当接する上端の集熱板と、集熱板の下面に取付けられる感熱素子と、感熱素子から下方にのびるリード線を囲うようにして集熱板に固定される筒状のホルダとから成る感熱ヘッドと、リード線が挿通される支持パイプと、支持パイプに対し感熱ヘッドを上方に付勢するホルダ内のスプリングとを備え、感熱ヘッドをスプリングの付勢力に抗して下動自在に、且つ、回り止めした状態で支持パイプに支持する鍋底温度センサにおいて、ホルダの下部内方に、ホルダに固定で支持パイプに外挿される内筒が設けられ、内筒と支持パイプとの一方と他方に径方向の凹部と凸部とが形成され、凹部に凸部が係合して感熱ヘッドが回り止めされ、内筒は、径方向外方に屈曲する上端のフランジ部と、フランジ部の外周縁から垂下する外筒部とを有し、外筒部をホルダの下端からホルダの内周面に沿って上方に折り返すことにより、内筒がホルダと一体に形成されることを特徴とする。
【０００８】
本発明によれば、感熱ヘッドがホルダの下部内方に設けられる内筒において支持パイプに回り止めされるため、外観的に目立つホルダの部分には回り止めのための溝部を形成せずに済む。従って、上記従来例の如く溝部に煮こぼれが付着堆積して汚れが目立つようなことはなく、また、内筒も外観に現れず、体裁が良好になる。
【０００９】
ところで、内筒の下端部をホルダの下方に突出させることも可能であるが、これでは、内筒に煮こぼれがかかる可能性がある。そして、内筒に煮こぼれがかかると、煮こぼれが内筒と支持パイプとの間に侵入してこびり付き、感熱ヘッドの上下動の円滑性が損なわれることがある。そのため、内筒の下端は、ホルダの下端以上の高さに位置することが望ましい。これによれば、内筒に煮こぼれがかかることはなく、感熱ヘッドの上下動の円滑性が損なわれることを防止できる。
【００１０】
また、本発明において、内筒は、径方向外方に屈曲する上端のフランジ部を有し、感熱ヘッドがスプリングの付勢力で所定の上動位置に上動したときに、支持パイプの上端部に設けられたストッパ部の下面にフランジ部が当接して、感熱ヘッドが抜け止めされるようにすることが望ましい。これによれば、ホルダに外観に現れる抜け止め用の縮径段部を形成せずに済み、体裁が一層良好になる。
【図面の簡単な説明】
【００１１】
【図１】（ａ）本発明の参考例の鍋底温度センサの断面図、（ｂ）図１（ａ）のＩｂ−Ｉｂ線で切断した切断平面図。
【図２】図１の鍋底温度センサの支持パイプの斜視図。
【図３】（ａ）本発明の実施形態の鍋底温度センサの断面図、（ｂ）図３（ａ）のＩＩＩｂ−ＩＩＩｂ線で切断した切断平面図。
【発明を実施するための形態】
【００１２】
図１（ａ）を参照して、本発明の参考例の鍋底温度センサは、図示省略したガスコンロのコンロバーナの上方に突出する感熱ヘッド１と、コンロバーナの中央空間に立設され、感熱ヘッド１を下方から支持する支持パイプ２とを備えている。感熱ヘッド１は、コンロ天板上の五徳に載置する鍋等の調理容器の底面に当接する上端の集熱板３と、集熱板３の下面に筒状アダプタ３ａを介して取付けられるサーミスタ等の感熱素子４と、感熱素子４から下方にのびるリード線４ａを囲うようにして集熱板３に固定される筒状のホルダ５とで構成されている。リード線４ａは、支持パイプ２を通してその下方に引き出され、ガスコンロ内の制御基板に接続される。
【００１３】
図２を参照して、支持パイプ２の上端には、ストッパ部たる径方向外方に屈曲するストッパ片２１が周方向の間隔を存して複数曲成されている。そして、ストッパ片２１をホルダ５に挿入した状態で、ホルダ５内に、下端がストッパ片２１に当接すると共に上端が集熱板３に当接するスプリング６を収納し、このスプリング６で感熱ヘッド１を上方に付勢している。
【００１４】
また、ストッパ片２１よりも下方にのびるホルダ５の下部内方には、支持パイプ２に外挿される内筒７が設けられている。内筒７はホルダ５と別部品であって、内筒７の上端に径方向外方に屈曲するフランジ部７１が形成されると共に、フランジ部７１の外周縁にホルダ５に内嵌する外筒部７２が垂設されている。外筒部７２の周囲複数箇所には孔７２ａが形成されており、ホルダ５の下部の周囲複数箇所に形成した径方向内方に突出する突起部５１を孔７２ａに係合させることで、内筒７をホルダ５に固定している。
【００１５】
感熱ヘッド１がスプリング６の付勢力で所定の上動位置に上動すると、フランジ部７１がストッパ片２１の下面に当接して、感熱ヘッド１が抜け止めされる。そして、五徳に調理容器を載置したとき、集熱板３に調理容器の底面が当接して、感熱ヘッド１がスプリング６の付勢力に抗して上動位置から押し下げられる。
【００１６】
また、図１（ｂ）に示す如く、内筒７の周囲複数個所には、径方向外方に窪む上下方向に長手の凹部７３が形成され、支持パイプ２の周囲複数箇所には、径方向外方に突出する上下方向に長手の凸部２２が形成されている。そして、各凹部７３に各凸部２２を係合させることにより、感熱ヘッド１を支持パイプ２に対し回り止めし、感熱ヘッド１の回転でリード線４ａが捩られることを防止している。
【００１７】
尚、鍋底温度センサの組立に際しては、先ず、ホルダ５に内筒７を取り付けた状態で、支持パイプ２を上方からホルダ５に挿入して、内筒７の凹部７３に支持パイプ２の凸部２２を係合させる。次に、ホルダ５にスプリング６を挿入し、最後に、下面に感熱素子４を取り付けた集熱板３をホルダ５の上端にかしめ付けて固定する。
【００１８】
ここで、参考例によれば、感熱ヘッド１がホルダ５の下部内方に設けられる内筒７において支持パイプ２に回り止めされるため、外観的に目立つホルダ５の部分（コンロバーナの上方に突出するホルダ５の上部）には回り止めのための溝部を形成せずに済む。従って、上記従来例の如く溝部に煮こぼれが付着堆積して汚れが目立つようなことはなく、また、内筒７も外観に現れず、体裁が良好になる。
【００１９】
尚、ホルダ５の下部はコンロバーナの上方に突出せず、内筒７の下端部がホルダ５の下方に突出していても、内筒７の下端部はコンロバーナで目隠しされて外観に現れず、体裁を損なうことはない。然し、この場合には、内筒７に煮こぼれがかかる可能性がある。そして、内筒７に煮こぼれがかかると、煮こぼれが内筒７と支持パイプ２との間に侵入してこびり付き、感熱ヘッド１の上下動の円滑性が損なわれることがある。
【００２０】
そこで、参考例では、内筒７の下端をホルダ５の下端以上の高さに位置させている。これによれば、内筒７に煮こぼれがかかることはなく、感熱ヘッド１の上下動の円滑性が損なわれることを防止できる。
【００２１】
また、参考例では、内筒７の上端のフランジ部７１が支持パイプ２の上端のストッパ片２１の下面に当接して、感熱ヘッド１が抜け止めされるようにしている。そのため、ホルダ５に外観に現れる抜け止め用の縮径段部を形成せずに済み、体裁が一層良好になる。
【００２２】
ところで、上記参考例では、内筒７がホルダ５と別部品であるが、図３に示す本発明の実施形態の鍋底温度センサでは、内筒７をホルダ５に一体に形成している。即ち、内筒７の外筒部７２をホルダ５の下端からホルダ５の内周面に沿って上方に折り返すことにより、内筒７をホルダ５に一体に形成する。尚、感熱ヘッド１が所定の上動位置に上動したときに、内筒７の上端のフランジ部７１が支持パイプ２の上端のストッパ片２１の下面に当接し、また、内筒７に形成した凹部７３に支持パイプ２に形成した凸部２２を係合させて、感熱ヘッド１を回り止めする点や、内筒７の下端をホルダ５の下端以上の高さに位置させる点は上記参考例と同一である。
【００２３】
以上、本発明の実施形態について図面を参照して説明したが、本発明はこれに限定されない。例えば、上記実施形態では、内筒７に形成した径方向外方に窪む凹部７３に支持パイプ２に形成した径方向外方に突出する凸部２２を係合させているが、支持パイプ２に径方向内方に窪む凹部を形成し、この凹部に内筒７に形成した径方向内方に突出する凸部を係合させて、感熱ヘッド１を回り止めしてもよい。尚、この場合、支持パイプ２に形成する径方向内方に窪む凹部が支持パイプ２の下端よりも上方位置で終端していると、支持パイプ２を内筒７に上方から挿入できなくなって組立不能になるため、支持パイプ２の下端まで凹部を延長して形成することが必要になる。これに対し、上記実施形態では、支持パイプ２の下端まで凸部２２を延長して形成する必要がなく、加工上有利である。
【符号の説明】
【００２４】
１…感熱ヘッド、２…支持パイプ、２１…ストッパ片（ストッパ部）、２２…凸部、３…集熱板、４…感熱素子、４ａ…リード線、５…ホルダ、６…スプリング、７…内筒、７１…フランジ部、７３…凹部。
【図１】
0005504228.tif 000002
【図２】
0005504228.tif 000003
【図３】
0005504228.tif 000004